(57)【特許請求の範囲】
【請求項１】
内容物が収容されるとともに内容物の減少に伴い減容変形する内容器、および前記内容器が内装される弾性変形可能な外容器を有するとともに、前記外容器に、前記内容器との間に外気を吸気する吸気孔が形成された容器本体と、
前記容器本体に装着され内容物を吐出する吐出キャップと、を備える吐出容器であって、
前記吐出キャップは、
前記容器本体の口部に装着されるとともに、前記吸気孔と外部とを連通可能な空気孔が形成されたキャップ本体と、
前記キャップ本体を、容器軸方向に沿う反容器本体側である上側から覆うとともに吐出孔が形成された吐出部を有し、前記キャップ本体に装着された弾性部材と、を備え、
前記吐出部のうち、外周縁部は、前記キャップ本体に固定され、外周縁部よりも内側に位置する部分は、径方向の外側から内側に向かうに従い漸次、容器軸方向に沿う容器本体側である下側に向けて延びる環状の受圧変形部を有し、かつ、前記キャップ本体に、上側に向けて離反可能に着座し、
前記キャップ本体のうち、前記吐出部により上側から覆われた部分には、前記吐出孔を開放可能に閉塞する栓部と、前記口部内に連通する連通孔と、が設けられ、
前記吐出部が弾性変形して前記キャップ本体から容器軸方向に離反するとき、前記受圧変形部が容器軸方向に反転変形し、径方向の外側から内側に向かうに従い漸次上側に向けて延びるように変形することを特徴とする吐出容器。
【請求項２】
前記キャップ本体は、周壁部が前記口部に径方向の外側から装着された有頂筒状に形成され、
前記空気孔は、前記キャップ本体の頂壁部の外周縁部に形成されるとともに、前記周壁部の内周面と前記口部の外周面との間を通して前記吸気孔に連通し、
前記吐出部の外周縁部は、前記頂壁部において外周縁部よりも内側に位置する部分に固定されていることを特徴とする請求項１記載の吐出容器。
【請求項３】
前記頂壁部の外周縁部には、底壁面に前記空気孔が形成された環状凹部が設けられていることを特徴とする請求項２記載の吐出容器。
【請求項４】
前記弾性部材は、前記吐出部の外周縁部から径方向の外側に向けて突出するフランジ部と、前記フランジ部から、容器軸方向に沿った容器本体側である下側に向けて突出し、前記環状凹部において径方向の内側を向く外周面内に嵌合されたシール筒部と、を備え、
前記シール筒部は、前記環状凹部において径方向の外側を向く内周面との間に、前記空気孔に連通する空気通路を形成し、
前記フランジ部には、前記空気通路と外部とを連通する導入孔が形成されていることを特徴とする請求項３記載の吐出容器。
【請求項５】
前記シール筒部の上端部は、前記環状凹部の外周面から上側に向けて突出し、
前記吐出キャップは、前記弾性部材を開放可能に上側から覆う有頂筒状の蓋体を更に備え、
前記蓋体は、前記シール筒部の上端部に径方向の外側から着脱可能に嵌合されていることを特徴とする請求項４記載の吐出容器。
【請求項６】
前記弾性部材には、前記空気孔と外部との連通および遮断を切り替える空気弁が備えられ、
前記空気弁は、容器軸方向に延び前記環状凹部内に配置された筒状に形成され、
前記空気弁のうち、上端部は、前記吐出部の外周縁部に連結され、下端部は、前記環状凹部の外周面に当接していることを特徴とする請求項３記載の吐出容器。
【発明の詳細な説明】
【技術分野】
【０００１】
本発明は、吐出キャップを有する吐出容器に関する。
【背景技術】
【０００２】
従来から、下記特許文献１に示すような吐出容器が知られている。この吐出容器は、内容物が収容されるとともに内容物の減少に伴い減容変形する内容器、および内容器が内装される弾性変形可能な外容器を有する容器本体と、容器本体に装着され内容物を吐出する吐出キャップと、を備えている。外容器には、内容器との間に外気を吸気する吸気孔が形成されている。
前記吐出キャップは、容器本体の口部に装着された吐出キャップ本体と、口部を閉塞する閉塞板と、閉塞板と吐出キャップ本体との間に配置された弁筒体と、を備えており、３つの部品により形成されている。吐出キャップ本体は、内容物が吐出される吐出口を有している。閉塞板は、口部内に連通する連通孔を有している。弁筒体は、連通孔に着脱自在に嵌合される弁体を有している。
前記吐出容器では、容器本体内の内容物は、弁体を押圧して連通孔を開放しながら連通孔を通過し、その後、吐出口から吐出される。
【先行技術文献】
【特許文献】
【０００３】
【特許文献１】特開２０１３−１３３１１６号公報
【発明の概要】
【発明が解決しようとする課題】
【０００４】
しかしながら、前記従来の吐出容器には、吐出キャップの部品点数の削減に改善の余地がある上に、高粘度の内容物の吐出には適していないという問題がある。
【０００５】
本発明は、前述した事情に鑑みてなされたものであって、多様な内容物を吐出可能としつつ、吐出キャップの部品点数を削減することを目的とする。
【課題を解決するための手段】
【０００６】
前記課題を解決するために、本発明は以下の手段を提案している。
本発明に係る吐出容器は、内容物が収容されるとともに内容物の減少に伴い減容変形する内容器、および前記内容器が内装される弾性変形可能な外容器を有するとともに、前記外容器に、前記内容器との間に外気を吸気する吸気孔が形成された容器本体と、前記容器本体に装着され内容物を吐出する吐出キャップと、を備える吐出容器であって、前記吐出キャップは、前記容器本体の口部に装着されるとともに、前記吸気孔と外部とを連通可能な空気孔が形成されたキャップ本体と、前記キャップ本体を、容器軸方向に沿う反容器本体側である上側から覆うとともに吐出孔が形成された吐出部を有し、前記キャップ本体に装着された弾性部材と、を備え、前記吐出部のうち、外周縁部は、前記キャップ本体に固定され、外周縁部よりも内側に位置する部分は、径方向の外側から内側に向かうに従い漸次、容器軸方向に沿う容器本体側である下側に向けて延びる環状の受圧変形部を有し、かつ、前記キャップ本体に、上側に向けて離反可能に着座し、前記キャップ本体のうち、前記吐出部により上側から覆われた部分には、前記吐出孔を開放可能に閉塞する栓部と、前記口部内に連通する連通孔と、が設けられ、前記吐出部が弾性変形して前記キャップ本体から容器軸方向に離反するとき、前記受圧変形部が容器軸方向に反転変形し、径方向の外側から内側に向かうに従い漸次上側に向けて延びるように変形することを特徴とする。
【０００７】
この場合、例えば外容器が、内容器の減容変形を伴って弾性変形する等して内容器内の内容物が吐出されるときには、内容器の内圧が、口部および連通孔を通して弾性部材の吐出部に作用する。すると吐出部が弾性変形し、キャップ本体から容器軸方向に離反する。このとき、栓部による吐出孔の閉塞が解除されて吐出孔が開放され、口部を通して連通孔から流出した内容器内の内容物が、キャップ本体と吐出部との間に形成される連通流路を通して外部に吐出される。
その後、連通孔からの内容物の流出が停止されたときには、吐出部が、弾性復元力に基づいて復元変形してキャップ本体に着座し、吐出孔が栓部により閉塞される。また、外容器の弾性復元力に基づいて内容器と外容器との間に負圧が生じたときには、外気が、空気孔および吸気孔を通して内容器と外容器との間に吸入される。これにより、内容器の減容変形が保持されたまま、外容器が復元変形する。
以上より、この吐出容器では、吐出キャップを、キャップ本体および弾性部材の２つの部品により形成することが可能になり、吐出キャップの部品点数を削減することができる。その結果、例えば吐出容器を安価に形成すること等ができる。
また、連通孔から流出する容器本体内の内容物は、キャップ本体と吐出部との間の連通流路を通過することで吐出孔に到達する。ここで連通流路は、内容物からの圧力を受けた吐出部の弾性変形量を大きくすることで、流路断面積を大きく確保することが可能になり、内容物を円滑に通過させることができる。また吐出部の弾性変形量を大きくすると、吐出部の弾性復元力も大きくなることから、連通流路内に内容物が残留するのを抑えることもできる。したがって、例えば高粘度の内容物など、流路内に詰まりを生じさせ易い内容物であっても、連通流路内で詰まりが生じるのを抑えて円滑に吐出させることができる。これにより、この吐出容器を、多様な内容物に適用することができる。
【０００８】
前記キャップ本体は、周壁部が前記口部に径方向の外側から装着された有頂筒状に形成され、前記空気孔は、前記キャップ本体の頂壁部の外周縁部に形成されるとともに、前記周壁部の内周面と前記口部の外周面との間を通して前記吸気孔に連通し、前記吐出部の外周縁部は、前記頂壁部において外周縁部よりも内側に位置する部分に固定されていてもよい。
【０００９】
この場合、空気孔が、頂壁部の外周縁部に形成されるとともに、吐出部の外周縁部が、頂壁部において外周縁部よりも内側に位置する部分に固定されている。したがって、例えば、吐出キャップの容器軸方向への大型化を抑えつつ、連通孔から空気孔への連通流路を通した内容物の漏出を効果的に抑えること等ができる。
【００１０】
前記頂壁部の外周縁部には、底壁面に前記空気孔が形成された環状凹部が設けられていてもよい。
【００１１】
この場合、空気孔が、前記環状凹部の底壁面に形成されているので、例えば、外部の水などの液体が、意図せず空気孔に到達するのを抑えること等ができる。
【００１２】
前記弾性部材は、前記吐出部の外周縁部から径方向の外側に向けて突出するフランジ部と、前記フランジ部から、容器軸方向に沿った容器本体側である下側に向けて突出し、前記環状凹部において径方向の内側を向く外周面内に嵌合されたシール筒部と、を備え、前記シール筒部は、前記環状凹部において径方向の外側を向く内周面との間に、前記空気孔に連通する空気通路を形成し、前記フランジ部には、前記空気通路と外部とを連通する導入孔が形成されていてもよい。
【００１３】
この場合、外容器の弾性復元力に基づいて内容器と外容器との間に負圧が生じたときには、外気が、導入孔、空気通路、空気孔、容器本体の口部と吐出キャップの周壁部との間および吸気孔を通して内容器と外容器との間に吸入される。
ここで、この吐出容器では、シール筒部が、環状凹部の外周面内に嵌合されているので、外部の液体が、シール筒部および環状凹部の外周面同士の間を通して空気通路内に進入し、空気孔に到達するのを抑えることができる。しかもこのシール筒部は、弾性部材の一部を構成しているので、シール筒部および環状凹部の外周面同士の間の液密性を高め、外部の液体が空気通路内に進入するのを効果的に規制することができる。
ところで、吐出容器内に高温の内容物を充填するいわゆる熱充填をした後、この内容物を冷却するために、吐出容器に冷却用のシャワー水を噴射した場合、このシャワー水が外部から吸気孔に意図せず到達するおそれがある。しかしながら、この吐出容器では、前述のように外部の液体が、シール筒部および環状凹部の外周面同士の間を通して空気通路内に進入するのを規制することができる。したがって、仮に熱充填後の吐出容器にシャワー水を噴射したとしても、シャワー水が吸気孔に到達するのを抑えることができる。これにより、この吐出容器を、熱充填が必要な内容物にも好適に適用することが可能になり、より多様な内容物に適用することができる。
【００１４】
前記シール筒部の上端部は、前記環状凹部の外周面から上側に向けて突出し、前記吐出キャップは、前記弾性部材を開放可能に上側から覆う有頂筒状の蓋体を更に備え、前記蓋体は、前記シール筒部の上端部に径方向の外側から嵌合されていてもよい。
【００１５】
この場合、蓋体が、シール筒部の上端部に径方向の外側から嵌合されているので、シャワー水のような外部の液体が、シール筒部の外周面と蓋体の内周面との間を通して蓋体内に進入するのを抑えることができる。しかもこのシール筒部は、弾性部材の一部を構成しているので、シール筒部の外周面と蓋体の内周面との間の液密性を高め、外部の液体が蓋体内に進入するのを効果的に規制して導入孔や吐出孔に到達するのを抑制することができる。
以上のように、シール筒部および環状凹部の外周面同士の間だけでなく、シール筒部の外周面と蓋体の内周面との間においても液密性を高め、１つのシール筒部により二重のシール性能を発揮させることができる。これにより、吐出キャップにおける密閉性を効果的に向上させ、外部の液体が吐出キャップ内に意図せず進入するのを確実に抑えることができる。
【００１６】
前記弾性部材には、前記空気孔と外部との連通および遮断を切り替える空気弁が備えられ、前記空気弁は、容器軸方向に延び前記環状凹部内に配置された筒状に形成され、前記空気弁のうち、上端部は、前記吐出部の外周縁部に連結され、下端部は、前記環状凹部の外周面に当接していてもよい。
【００１７】
この場合、外容器の弾性復元力に基づいて内容器と外容器との間に負圧が生じたときには、この負圧が、吸気孔、容器本体の口部と吐出キャップの周壁部との間、空気孔および環状凹部を通して空気弁に作用する。すると空気弁が弾性変形し、空気弁の下端部が環状凹部の外周面から離間して、空気孔と外部とが環状凹部を通して連通される。これにより、外気が、空気孔および吸気孔を通して内容器と外容器との間に吸入され、内容器と外容器との間に中間空間が形成される。
一方、内容器と外容器との間に中間空間が形成された状態で、外容器を弾性変形させたときには、空気弁の下端部が、中間空間内の空気からの圧力によって環状凹部の外周面に圧接され、この空気が外部に漏出するのを抑えることができる。これにより、外容器に加えられる外力を、中間空間を介して速やかに内容器に作用させることが可能になり、内容物を円滑に吐出させることができる。
ここで、この吐出容器では、空気弁の上端部が吐出部の外周縁部に連結されているので、空気弁および吐出部を一体の弾性部材として形成することができる。これにより、空気弁を備えさせることによる部品点数の増加を抑えることができる。
【発明の効果】
【００１８】
本発明によれば、多様な内容物を吐出可能としつつ、部品点数を削減することができる。
【図面の簡単な説明】
【００１９】
【図１】本発明の第１実施形態に係る吐出容器の要部を示す縦断面図である。
【図２】図１に示す吐出容器の要部を示す縦断面図であって、内容物を吐出している状態を示す図である。
【図３】本発明の第２実施形態に係る吐出容器の要部を示す縦断面図である。
【図４】本発明の第３実施形態に係る吐出容器の要部を示す縦断面図である。
【発明を実施するための形態】
【００２０】
（第１実施形態）
以下、図面を参照し、本発明の第１実施形態に係る吐出容器を説明する。
図１に示すように、吐出容器１０は、図示しない内容物が収容されると共に内容物の減少に伴い減容変形（しぼみ変形）する可撓性に富む内容器（内層）１１、および内容器１１が内装される外容器（外層）１２を有する容器本体１３と、容器本体１３に装着され内容物を吐出する吐出キャップ２０と、を備えている。
【００２１】
なお、内容器１１および外容器１２は、それぞれの中心軸が共通軸上に位置された状態で配設されている。そして、この共通軸と同軸に吐出キャップ２０が配置されている。本実施形態では、この共通軸を容器軸Ｏといい、容器軸Ｏ方向に沿った吐出キャップ２０側を上側、容器本体１３側を下側という。容器軸Ｏ方向から見た平面視において、容器軸Ｏに直交する方向を径方向といい、容器軸Ｏ回りに周回する方向を周方向という。
【００２２】
容器本体１３は、ブロー成形により形成され、外容器１２の内面に内容器１１が剥離可能に積層された積層剥離型容器（デラミボトル）とされている。内容器１１および外容器１２の材質は樹脂材料とされ、剥離可能な組み合わせであれば互いに同材質でも構わないし異材質でも構わない。樹脂材料の一例としては、例えば、ＰＥＴ（ポリエチレンテレフタレート）、ＰＰ（ポリプロピレン）、ＰＥ（ポリエチレン）、ナイロン（ポリアミド）、ＥＶＯＨ（エチレン−ビニルアルコール共重合体）等が挙げられる。これらの樹脂材料の中から、外容器１２と内容器１１とは剥離可能（相溶性がない）となる組み合わせで形成される。
なお容器本体１３の内容器１１は、減容可能な構造となっていればよく、外容器１２に対して積層されていない二重容器構成としてもよい。
【００２３】
容器本体１３は、口部１３Ａ、図示しない胴部および底部が上側から順に連設された有底筒状に形成されている。胴部は、例えば横断面視円形状に形成されている。
なお、容器本体１３を構成する外容器１２はスクイズ変形可能とされ、この外容器１２のスクイズ変形に伴って内容器１１は減容変形する。外容器１２のうち少なくとも胴部に位置する部分は、容器内側に向けて弾性変形可能とされている。
【００２４】
容器本体１３の口部１３Ａは、内容器１１の口部１１Ａと外容器１２の口部１２Ａとが積層された構成とされている。内容器１１の口部１１Ａの上端部には、径方向の外側に突出する環状の折り返し部が形成されている。この折り返し部は、外容器１２の口部１２Ａの開口端を上方側から塞いでおり、外容器１２の口部１２Ａは、内容器１１によって閉塞されている。外容器１２の口部１２Ａには、外容器１２と内容器１１との間に外気を導入させる吸気孔１４が形成されている。
【００２５】
吐出キャップ２０は、硬質のキャップ本体２１と、軟質の弾性部材２２と、を備えている。
キャップ本体２１は、例えば樹脂材料などにより一体に形成される。キャップ本体２１は、容器本体１３の口部１３Ａに装着される。キャップ本体２１は、吸気孔１４を外部から覆っていて、吸気孔１４と外部との連通を遮断する。キャップ本体２１は、周壁部２３が口部１３Ａに径方向の外側から装着された有頂筒状に形成されている。キャップ本体２１は、容器軸Ｏと同軸に配置され、周壁部２３は、口部１３Ａに着脱可能に螺着されている。
【００２６】
キャップ本体２１の頂壁部２４は、下壁部２５と、立ち上がり筒部２６と、上壁部２７と、を備えている。
下壁部２５は、頂壁部２４の外周縁部に配置され、下壁部２５の外周面は、周壁部２３の内周面に連結されている。周壁部２３の上端部は、下壁部２５よりも上側に突出している。下壁部２５は、容器軸Ｏと同軸の環状に形成され、容器本体１３の口部１３Ａの開口端上に配置されている。
【００２７】
立ち上がり筒部２６は、下壁部２５の内周縁部に立設され、容器軸Ｏと同軸に配置されている。
上壁部２７は、表裏面が容器軸Ｏ方向を向く板状に形成され、立ち上がり筒部２６の上端開口部を閉塞している。上壁部２７は、キャップ本体２１の周壁部２３の上端部よりも上側に配置されている。
【００２８】
頂壁部２４の外周縁部には、環状凹部２８が設けられている。環状凹部２８は、周壁部２３の上端部と、頂壁部２４の下壁部２５および立ち上がり筒部２６と、の間に形成されている。環状凹部２８の底壁面には、空気孔２９が形成されている。空気孔２９は、吸気孔１４と外部とを連通する。空気孔２９は、頂壁部２４の外周縁部（下壁部２５）に形成されるとともに、周壁部２３の内周面と容器本体１３の口部１３Ａの外周面との間を通して吸気孔１４に連通している。空気孔２９は、周方向に間隔をあけて複数配置されている。
【００２９】
頂壁部２４の上壁部２７には、シール溝部３０と、栓部３１と、連通孔３２と、が設けられている。
シール溝部３０は、容器軸Ｏと同軸の環状に形成されている。シール溝部３０は、上壁部２７の外周縁部に配置されている。
栓部３１および連通孔３２は、上壁部２７においてシール溝部３０よりも内側に位置する部分（キャップ本体のうち、吐出部により上側から覆われた部分）に設けられている。
【００３０】
栓部３１は、上壁部２７から上側に向けて突出している。栓部３１は、容器軸Ｏと同軸に配置された有頂筒状に形成され、下方に向けて開口している。栓部３１における上端部には、テーパー部３１ａが形成されている。テーパー部３１ａは、下側から上側に向かうに従い漸次縮径している。
【００３１】
連通孔３２は、上壁部２７においてシール溝部３０と栓部３１との間に位置する部分に配置されている。連通孔３２は、上壁部２７のうち、栓部３１に径方向の外側から隣接する部分に配置されている。連通孔３２は、上壁部２７を容器軸Ｏ方向に貫通し、容器本体１３の口部１３Ａ内に連通している。連通孔３２は、周方向に間隔をあけて複数配置されている。なお連通孔３２は、周方向の全周にわたって間欠的に複数設けられていてもよく、あるいは周方向の全周にわたって連続して１つ設けられていてもよく、内容物などに応じて使い分けすることができる。
【００３２】
弾性部材２２は、キャップ本体２１を形成する材料よりも軟質の材料により一体に形成され、キャップ本体２１に装着されている。弾性部材２２は、吐出部３３と、フランジ部３４と、シール筒部３５と、嵌合筒部３６と、を備えている。
【００３３】
吐出部３３は、キャップ本体２１を上側から覆っている。吐出部３３のうち、外周縁部は、キャップ本体２１に固定され、外周縁部よりも内側に位置する部分は、キャップ本体２１に、上側に向けて離反可能に着座している。吐出部３３の外周縁部は、頂壁部２４の上壁部２７（頂壁部において外周縁部よりも内側に位置する部分）に固定されていて、吐出部３３は、キャップ本体２１のうち、頂壁部２４の上壁部２７を上側から覆っている。
【００３４】
吐出部３３は、容器軸Ｏと同軸の環状に形成されている。吐出部３３は、固定筒部３７と、受圧変形部３８と、流通筒部３９と、を備えている。
固定筒部３７は、吐出部３３の外周縁部を構成している。固定筒部３７は、上壁部２７のシール溝部３０内に液密に嵌合されている。
【００３５】
受圧変形部３８は、固定筒部３７から径方向の内側に向けて突出する薄肉の環状に形成されている。受圧変形部３８は、径方向の外側から内側に向かうに従い漸次下側に向けて延びている。受圧変形部３８は、容器軸Ｏ方向に沿う縦断面視において、直線状に延びていて、上壁部２７に対して下向きに傾斜している。受圧変形部３８内には、前記栓部３１が挿通されている。受圧変形部３８の内周縁部は、上壁部２７のうち、連通孔３２が形成された部分上に配置されている。
【００３６】
流通筒部３９は、受圧変形部３８の内周縁部に立設されている。流通筒部３９は栓部３１を径方向の外側から囲繞している。流通筒部３９は、下側から上側に向かうに従い漸次縮径している。流通筒部３９の上端部には、径方向の内側に向けて突出する環状突起３９ａが設けられている。環状突起３９ａは、栓部３１のテーパー部３１ａに、上側に離反可能に着座している。環状突起３９ａには、径方向の内側を向く着座面が形成されている。着座面は、下側から上側に向かうに従い漸次、縮径していて、テーパー部３１ａに液密に着座している。
【００３７】
吐出部３３には、内容物を吐出する吐出孔４０が形成されている。吐出孔４０は、環状突起３９ａの内部に設けられている。吐出孔４０は、栓部３１により開放可能に閉塞されている。
【００３８】
フランジ部３４は、吐出部３３の外周縁部から径方向の外側に向けて突出している。フランジ部３４は、容器軸Ｏと同軸の環状に形成され、固定筒部３７の上端部から径方向の外側に向けて突出している。
シール筒部３５および嵌合筒部３６は、フランジ部３４から下側に向けて突出している。シール筒部３５は、環状凹部２８において径方向の内側を向く外周面内に液密に嵌合されている。環状凹部２８の外周面内には、シール筒部３５の下端部が嵌合され、シール筒部３５の上端部は、環状凹部２８の外周面から上側に向けて突出している。嵌合筒部３６は、環状凹部２８において径方向の外側を向く内周面に外側から嵌合されている。
【００３９】
シール筒部３５は、環状凹部２８の内周面との間に、空気孔２９に連通する空気通路４１を形成している。本実施形態では、シール筒部３５は、環状凹部２８の内周面との間に、嵌合筒部３６を介して空気通路４１を形成する。空気通路４１は、周方向の全周にわたって延びていて、容器軸Ｏと同軸の環状に形成されている。
【００４０】
フランジ部３４には、空気通路４１と外部とを連通する導入孔４２が形成されている。導入孔４２は、フランジ部３４において周方向に沿った一部分に限定して配置されている。導入孔４２は、微細孔となっており、導入孔４２の開口面積は、吸気孔１４および空気孔２９それぞれの開口面積よりも小さい。さらに、導入孔４２の開口面積は、吐出孔４０の開口面積よりも小さい。
【００４１】
ここで本実施形態では、吐出キャップ２０には、硬質の蓋体４３が更に備えられている。蓋体４３は、有頂筒状に形成され、弾性部材２２を開放可能に上側から覆っている。蓋体４３の下端部は、弾性部材２２のシール筒部３５の上端部に、径方向の外側から液密に着脱可能に嵌合している。蓋体４３の開口端は、キャップ本体２１の周壁部２３の開口端に当接している。
【００４２】
蓋体４３には、下側に向けて突出する規制部４３ａが設けられている。規制部４３ａは、吐出部３３の上昇移動を規制する。規制部４３ａは、吐出部３３の環状突起３９ａに上側から当接する。規制部４３ａは、容器軸Ｏと同軸の環状に形成され、環状突起３９ａを栓部３１との間に挟み込んでいる。
【００４３】
蓋体４３は、ヒンジ部４４を介してキャップ本体２１に連結されている。キャップ本体２１および蓋体４３は、ヒンジ部４４を介して一体に形成されている。ヒンジ部４４は、この吐出キャップ２０を容器軸Ｏ方向から見た平面視において、容器軸Ｏとの間に前記導入孔４２を挟み込んでおり、導入孔４２は、フランジ部３４のうち、容器軸Ｏに対してヒンジ部４４が位置する方向である後側に位置する部分に限定して配置されている。
なお本実施形態では、導入孔４２が、フランジ部３４のうち後側に位置する部分に限定して配置されているが、本発明はこれに限られない。
【００４４】
次に、前記吐出容器１０の作用について説明する。
【００４５】
内容物を吐出する場合には、まず吐出キャップ２０の蓋体４３をヒンジ部４４回りに後側に向けて回動させ、蓋体４３の下端部を弾性部材２２のシール筒部３５から離脱させる。なおシール筒部３５は、弾性部材２２の一部を構成しているので、蓋体４３の下端部をシール筒部３５から離脱させるときに、例えば、シール筒部３５を蓋体４３の下端部に追従して変形させること等が可能であり、蓋体４３を円滑に回動させることができる。
その後、容器本体１３の外容器１２の胴部を容器内側（径方向内側）にスクイズ変形（弾性変形）させる。これにより、内容器１１が外容器１２と共に容器内側に変形して減容するので、内容器１１の内圧が上昇する。
【００４６】
このとき内容器１１の内圧が、口部１３Ａおよび連通孔３２を通して弾性部材２２の吐出部３３に作用する。すると図２に示すように、吐出部３３が弾性変形し、キャップ本体２１から容器軸Ｏ方向に離反する。図示の例では、吐出部３３の受圧変形部３８が、容器軸Ｏ方向に反転変形し、径方向の外側から内側に向かうに従い漸次上側に向けて延びるように変形する。このとき、環状突起３９ａがテーパー部３１ａから離反して吐出孔４０が栓部３１から開放される。そして、口部１３Ａを通して連通孔３２から流出した内容器１１内の内容物が、キャップ本体２１と吐出部３３との間に形成される連通流路４５を通して外部に吐出される。
【００４７】
その後、容器本体１３のスクイズ変形を停止又は解除することで、内容器１１の内圧の上昇が停止又は低下すると、連通孔３２からの内容物の流出が停止される。すると吐出部３３が、弾性復元力に基づいて復元変形してキャップ本体２１に着座し、吐出孔４０が栓部３１により閉塞される。これにより、内容物の吐出が停止される。
また、容器本体１３のスクイズ変形を解除することで、外容器１２が復元変形すると、外容器１２と内容器１１との間に負圧が生じる。すると外気が、導入孔４２、空気通路４１、空気孔２９、容器本体１３の口部１３Ａと吐出キャップ２０の周壁部２３との間および吸気孔１４を通して、内容器１１と外容器１２との間に吸入される。これにより、内容器１１の減容変形が保持されたまま、外容器１２が復元変形する。
【００４８】
以上説明したように、本実施形態に係る吐出容器１０によれば、吐出キャップ２０を、キャップ本体２１および弾性部材２２の２つの部品により形成することが可能になり、吐出キャップ２０の部品点数を削減することができる。その結果、例えば吐出容器１０を安価に形成すること等ができる。
【００４９】
また、連通孔３２から流出する容器本体１３内の内容物は、キャップ本体２１と吐出部３３との間の連通流路４５を通過することで吐出孔４０に到達する。ここで連通流路４５は、内容物からの圧力を受けた吐出部３３の弾性変形量を大きくすることで、流路断面積を大きく確保することが可能になり、内容物を円滑に通過させることができる。また吐出部３３の弾性変形量を大きくすると、吐出部３３の弾性復元力も大きくなることから、連通流路４５内に内容物が残留するのを抑えることもできる。したがって、例えば高粘度の内容物など、流路内に詰まりを生じさせ易い内容物であっても、連通流路４５内で詰まりが生じるのを抑えて円滑に吐出させることができる。これにより、この吐出容器１０を、多様な内容物に適用することができる。
【００５０】
また空気孔２９が、頂壁部２４の外周縁部に形成されるとともに、吐出部３３の外周縁部が、頂壁部２４において外周縁部よりも内側に位置する部分に固定されている。したがって、例えば、吐出キャップ２０の容器軸Ｏ方向への大型化を抑えつつ、連通孔３２から空気孔２９への連通流路４５を通した内容物の漏出を効果的に抑えること等ができる。
さらに空気孔２９が、前記環状凹部２８の底壁面に形成されているので、例えば、外部の水などの液体が、意図せず空気孔２９に到達するのを抑えること等ができる。
【００５１】
またシール筒部３５が、環状凹部２８の外周面内に嵌合されているので、外部の液体が、シール筒部３５および環状凹部２８の外周面同士の間を通して空気通路４１内に進入し、空気孔２９に到達するのを抑えることができる。しかもこのシール筒部３５は、弾性部材２２の一部を構成しているので、シール筒部３５および環状凹部２８の外周面同士の間の液密性を高め、外部の液体が空気通路４１内に進入するのを効果的に規制することができる。
ところで、吐出容器１０内に高温の内容物を充填するいわゆる熱充填をした後、この内容物を冷却するために、吐出容器１０に冷却用のシャワー水を噴射した場合、このシャワー水が外部から吸気孔１４に意図せず到達するおそれがある。しかしながら、この吐出容器１０では、前述のように外部の液体が、シール筒部３５および環状凹部２８の外周面同士の間を通して空気通路４１内に進入するのを規制することができる。したがって、仮に熱充填後の吐出容器１０にシャワー水を噴射したとしても、シャワー水が吸気孔１４に到達するのを抑えることができる。これにより、この吐出容器１０を、熱充填が必要な内容物にも好適に適用することが可能になり、より多様な内容物に適用することができる。
なお本実施形態のように、導入孔４２を微細孔としている場合、例えば、導入孔４２を、気体が通過可能でかつ液体が実質的に通過不能に形成し易くすること等が可能になり、シャワー水が導入孔４２を通して空気通路４１内に進入するのも効果的に抑えることができる。
【００５２】
また蓋体４３が、シール筒部３５の上端部に径方向の外側から嵌合されているので、シャワー水のような外部の液体が、シール筒部３５の外周面と蓋体４３の内周面との間を通して蓋体４３内に進入するのを抑えることができる。しかもこのシール筒部３５は、弾性部材２２の一部を構成しているので、シール筒部３５の外周面と蓋体４３の内周面との間の液密性を高め、外部の液体が蓋体４３内に進入するのを効果的に規制して導入孔４２や吐出孔４０に到達するのを抑制することができる。
以上のように、シール筒部３５および環状凹部２８の外周面同士の間だけでなく、シール筒部３５の外周面と蓋体４３の内周面との間においても液密性を高め、１つのシール筒部３５により二重のシール性能を発揮させることができる。これにより、吐出キャップ２０における密閉性を効果的に向上させ、外部の液体が吐出キャップ２０内に意図せず進入するのを確実に抑えることができる。
【００５３】
（第２実施形態）
次に、本発明の第２実施形態に係る吐出容器を、図３を参照して説明する。
なお、この第２実施形態においては、第１実施形態における構成要素と同一の部分については同一の符号を付し、その説明を省略し、異なる点についてのみ説明する。
【００５４】
本実施形態の吐出容器５０では、弾性部材２２には、吐出筒部５１が更に備えられている。吐出筒部５１は、容器軸Ｏと同軸に配置され、環状突起３９ａの内周縁部から上側に向けて突出している。吐出筒部５１は、蓋体４３の規制部４３ａ内に嵌合されている。吐出筒部５１の上端部は、下側から上側に向かうに従い漸次、拡径している。そして本実施形態では、吐出孔４０は、吐出筒部５１の内部に設けられている。
本実施形態に係る吐出容器５０によれば、第１実施形態に係る吐出容器１０と同様の作用効果を奏することができる。
【００５５】
（第３実施形態）
次に、本発明の第３実施形態に係る吐出容器を、図４を参照して説明する。
なお、この第３実施形態においては、第１実施形態における構成要素と同一の部分については同一の符号を付し、その説明を省略し、異なる点についてのみ説明する。
【００５６】
本実施形態の吐出容器６０では、シール筒部３５、空気通路４１および導入孔４２を設けるのに代えて、弾性部材２２に、空気弁６１を備えさせていている。空気弁６１は、空気孔２９と外部との連通および遮断を切り替える。空気弁６１は、容器軸Ｏ方向に延び環状凹部２８内に配置された筒状に形成されている。
【００５７】
空気弁６１のうち、上端部は、吐出部３３の外周縁部に連結され、下端部は、環状凹部２８の外周面に当接している。空気弁６１の上端部は、嵌合筒部３６およびフランジ部３４を介して、吐出部３３の外周縁部に間接的に連結されている。空気弁６１は、上側から下側に向かうに従い漸次拡径している。
なお本実施形態では、空気弁６１の上端部が、吐出部３３の外周縁部に間接的に連結されているが、本発明はこれに限られない。例えば空気弁６１の上端部が、吐出部３３の外周縁部に直接連結されていてもよい。
【００５８】
次に、前記吐出容器６０の作用について説明する。
【００５９】
この吐出容器６０では、内容物を吐出した後、外容器１２の弾性復元力に基づいて内容器１１と外容器１２との間に負圧が生じたときには、この負圧が、吸気孔１４、容器本体１３の口部１３Ａと吐出キャップ２０の周壁部２３との間、空気孔２９および環状凹部２８を通して空気弁６１に作用する。すると空気弁６１が弾性変形し、空気弁６１の下端部が環状凹部２８の外周面から離間して、空気孔２９と外部とが環状凹部２８を通して連通される。これにより、外気が、空気孔２９および吸気孔１４を通して内容器１１と外容器１２との間に吸入され、内容器１１と外容器１２との間に図示しない中間空間が形成される。
【００６０】
一方、内容器１１と外容器１２との間に前記中間空間が形成された状態で、外容器１２を弾性変形させたときには、空気弁６１の下端部が、中間空間内の空気からの圧力によって環状凹部２８の外周面に圧接され、この空気が外部に漏出するのを抑えることができる。これにより、外容器１２に加えられる外力を、中間空間を介して速やかに内容器１１に作用させることが可能になり、内容物を円滑に吐出させることができる。
【００６１】
以上説明したように、本実施形態に係る吐出容器６０によれば、空気弁６１の上端部が吐出部３３の外周縁部に連結されているので、空気弁６１および吐出部３３を一体の弾性部材２２として形成することができる。これにより、空気弁６１を備えさせることによる部品点数の増加を抑えることができる。
【００６２】
なお、本発明の技術的範囲は前記実施形態に限定されるものではなく、本発明の趣旨を逸脱しない範囲において種々の変更を加えることが可能である。
【００６３】
例えば、規制部４３ａや蓋体４３がなくてもよい。また、前記第１、第２実施形態に係る吐出容器１０、５０において、フランジ部３４、シール筒部３５および嵌合筒部３６がなくてもよく、前記第３実施形態に係る吐出容器６０において、フランジ部３４、嵌合筒部３６および空気弁がなくてもよい。
【００６４】
前記実施形態では、固定筒部３７がシール溝部３０内に嵌合されているが、本発明はこれに限られない。例えば固定筒部３７が、環状凹部２８の内周面に径方向の外側から液密に嵌合していてもよい。
吐出部３３は、前記実施形態に示した構成に限られない。例えば環状突起３９ａがなくてもよく、流通筒部３９の上端部がテーパー部３１ａに直接、着座してもよい。
栓部３１および連通孔３２は、前記実施形態に示した構成に限られない。例えば栓部３１にテーパー部３１ａがなくてもよい。また連通孔３２が１つでもよい。
【００６５】
前記実施形態では、吐出容器１０、５０、６０として、内容器１１が外容器１２の内面に剥離可能に積層された積層剥離型容器としたが、本発明はこれに限定されるものではなく、内容器１１と外容器１２との間に隙間が確保された吐出容器（二重容器）としても構わない。但し、積層剥離型容器とした場合には、汎用性を高めることができるので好ましい。
【００６６】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６７】
１０、５０、６０  吐出容器
１１  内容器
１２  外容器
１３  容器本体
１３Ａ  口部
１４  吸気孔
２０  吐出キャップ
２１  キャップ本体
２２  弾性部材
２３  周壁部
２４  頂壁部
２８  環状凹部
２９  空気孔
３１  栓部
３２  連通孔
３３  吐出部
３４  フランジ部
３５  シール筒部
４０  吐出孔
４１  空気通路
４２  導入孔
４３  蓋体
６１  空気弁
Ｏ  容器軸
【図１】
0006408283.tif 000002
【図２】
0006408283.tif 000003
【図３】
0006408283.tif 000004
【図４】
0006408283.tif 000005